【手続補正書】
【提出日】平成22年2月8日(2010.2.8)
【手続補正１】
【補正対象書類名】特許請求の範囲
【補正対象項目名】請求項１
【補正方法】変更
【補正の内容】
【請求項１】
基材上の液体を除去する液体除去装置であって、
円筒中空形状を有し、前記円筒中空形状の中心軸を回転軸として回転可能に構成され、前記基材上の液体に接触または近接して前記液体を吸収除去する吸収部材と、
前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体と、
前記内部回転体の開口部と連通し、前記吸収部材の中空部分の内部を減圧する減圧手段と、
前記吸収部材に対して相対的に前記内部回転体を回転させる内部回転体駆動手段と、
前記基材と前記吸収部材及び前記内部回転体とを相対的に移動させる移動手段と、
前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式
１／｜Ｎ１−Ｎ２｜＞Ｔ１
を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式
Ｔ２＞Ｔ３
を満たすように前記内部回転体駆動手段を制御する内部回転体駆動制御手段と、
を備えたことを特徴とする液体除去装置。
【手続補正２】
【補正対象書類名】特許請求の範囲
【補正対象項目名】請求項６
【補正方法】変更
【補正の内容】
【請求項６】
画像形成媒体上に画像形成液を付与する画像形成液付与手段と、
円筒中空形状を有し、前記円筒中空形状の中心軸を回転軸として回転可能に構成され、前記画像形成媒体上の液体成分に接触または近接して前記液体成分を吸収除去する吸収部材と、
前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体と、
前記内部回転体の開口部と連通し、前記吸収部材の中空部分の内部を減圧する減圧手段と、
前記吸収部材に対して相対的に前記内部回転体を回転させる内部回転体駆動手段と、
前記画像形成媒体と前記吸収部材及び前記内部回転体とを相対的に移動させる移動手段と、
前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式
１／｜Ｎ１−Ｎ２｜＞Ｔ１
を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式
Ｔ２＞Ｔ３
を満たすように前記内部回転体駆動手段を制御する内部回転体駆動制御手段と、
を備えたことを特徴とする画像形成装置。
【手続補正３】
【補正対象書類名】特許請求の範囲
【補正対象項目名】請求項１０
【補正方法】変更
【補正の内容】
【請求項１０】
基材上の液体を除去する液体除去方法であって、
円筒中空形状を有し、前記円筒中空形状の中心軸を回転軸として回転可能に構成され、前記基材上の液体に接触または近接して前記液体を吸収除去する吸収部材に対して、前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体を相対的に回転させて、前記内部回転体の開口部を介して前記吸収部材の中空部分の内部を減圧しながら前記基材と前記吸収部材及び前記内部回転体とを相対的に移動させて前記基材上の液体を除去する際に、前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式
１／｜Ｎ１−Ｎ２｜＞Ｔ１
を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式
Ｔ２＞Ｔ３
を満たすように前記内部回転体の駆動を制御することを特徴とする液体除去方法。
【手続補正４】
【補正対象書類名】明細書
【補正対象項目名】０００８
【補正方法】変更
【補正の内容】
【０００８】
上記目的を達成するために、本発明に係る液体除去装置は、基材上の液体を除去する液体除去装置であって、円筒中空形状を有し、前記円筒中空形状の中心軸を回転軸として回転可能に構成され、前記基材上の液体に接触または近接して前記液体を吸収除去する吸収部材と、前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体と、前記内部回転体の開口部と連通し、前記吸収部材の中空部分の内部を減圧する減圧手段と、前記吸収部材に対して相対的に前記内部回転体を回転させる内部回転体駆動手段と、前記基材と前記吸収部材及び前記内部回転体とを相対的に移動させる移動手段と、前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式１／｜Ｎ１−Ｎ２｜＞Ｔ１を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式Ｔ２＞Ｔ３を満たすように前記内部回転体駆動手段を制御する内部回転体駆動制御手段と、を備えたことを特徴とする。
【手続補正５】
【補正対象書類名】明細書
【補正対象項目名】００２５
【補正方法】変更
【補正の内容】
【００２５】
また、上記目的を達成するために、請求項６に記載の発明に係る画像形成装置は、画像形成媒体上に画像形成液を付与する画像形成液付与手段と、円筒中空形状を有し、前記円筒中空形状の中心軸を回転軸として回転可能に構成され、前記画像形成媒体上の液体成分に接触または近接して前記液体成分を吸収除去する吸収部材と、前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体と、前記内部回転体の開口部と連通し、前記吸収部材の中空部分の内部を減圧する減圧手段と、前記吸収部材に対して相対的に前記内部回転体を回転させる内部回転体駆動手段と、前記画像形成媒体と前記吸収部材及び前記内部回転体とを相対的に移動させる移動手段と、前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式１／｜Ｎ１−Ｎ２｜＞Ｔ１を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式Ｔ２＞Ｔ３を満たすように前記内部回転体駆動手段を制御する内部回転体駆動制御手段と、を備えたことを特徴とする。
【手続補正６】
【補正対象書類名】明細書
【補正対象項目名】００３４
【補正方法】変更
【補正の内容】
【００３４】
また、上記目的を達成するための方法発明を提供する。即ち、請求項１０に記載の液体除去方法は、基材上の液体を除去する液体除去方法であって、円筒中空形状を有し、前記円筒中空形状の中心軸を回転軸として回転可能に構成され、前記基材上の液体に接触または近接して前記液体を吸収除去する吸収部材に対して、前記吸収部材の中空形状に対応する円筒形状を有し、前記吸収部材の中空部分の内部に配置されるとともに前記円筒形状の中心軸を回転軸として回転可能に構成され、外周面に開口部を具備する内部回転体を相対的に回転させて、前記内部回転体の開口部を介して前記吸収部材の中空部分の内部を減圧しながら前記基材と前記吸収部材及び前記内部回転体とを相対的に移動させて前記基材上の液体を除去する際に、前記吸収部材の単位時間あたりの回転数Ｎ１（但し、Ｎ１≠０）と、前記内部回転体の単位時間あたりの回転数Ｎ２（但し、Ｎ１≠Ｎ２、Ｎ２≠０）と、前記吸収部材が液体吸収能力の上限まで液体を吸収する最短時間Ｔ１と、の関係が、次式１／｜Ｎ１−Ｎ２｜＞Ｔ１を満たし、前記吸収部材上の１点を前記内部回転体の開口部が相対的に通過するのに要する時間Ｔ２と、所定の圧力で減圧したときに前記吸収部材の表面の液体が前記吸収部材の内壁面に移動するまでの時間Ｔ３と、の関係が、次式Ｔ２＞Ｔ３を満たすように前記内部回転体の駆動を制御することを特徴とする。
【手続補正７】
【補正対象書類名】明細書
【補正対象項目名】００５２
【補正方法】変更
【補正の内容】
【００５２】
多孔質ローラ１６には、炭化珪素、アルミナ、シリカ、ジルコニア、炭化チタン等のセラミック多孔質材料、チタン、ステンレス等の金属多孔質材料、ポリエチレン、ポリウレタン等の樹脂多孔質材料を用いることができるが、耐久性、加工精度、コスト等の面から特に炭化珪素、アルミナ等の焼結セラミック多孔質材料が好適に用いられる。液体吸収能力（吸収速度や吸収容量）の観点から平均孔径は１０μｍ以上５０μｍ以下、空隙率は４０％以上７０％以下の多孔質材料を用いることが好ましい。本例では、平均孔径４０μｍ、空隙率５０％の炭化珪素（焼結セラミック）多孔質部材を多孔質ローラ１６に適用した。
【手続補正８】
【補正対象書類名】明細書
【補正対象項目名】００８２
【補正方法】変更
【補正の内容】
【００８２】
Ｔ２＝（１／｜Ｎ１−Ｎ２｜）×（α／３６０） …（３）
一方、移動時間Ｔ３は多孔質ローラ１６の吸収性能（材質、空隙率、平均孔径）や使用される液体の物性に左右されるので、次のように実測して求めた。
【手続補正９】
【補正対象書類名】明細書
【補正対象項目名】００８４
【補正方法】変更
【補正の内容】
【００８４】
なお、図５に示すように開口部４０の開口角度αが３０°の場合には、式（４）で表される。
（１／｜Ｎ１−Ｎ２｜）×（１／１２）＞０．０１３（ｍｉｎ） …（４）
したがって、好ましい多孔質ローラの単位時間あたりの回転数Ｎ１と内部回転体２０の単位時間あたりの回転数Ｎ２の差｜Ｎ１−Ｎ２｜は、式（５）のようになる。
【手続補正１０】
【補正対象書類名】明細書
【補正対象項目名】００８５
【補正方法】変更
【補正の内容】
【００８５】
｜Ｎ１−Ｎ２｜＜６．４１（ｒｐｍ） …（５）
以上まとめると、上述した実験条件において、本例に示す液体除去装置１０に適した多孔質ローラの単位時間あたりの回転数Ｎ１と内部回転体２０の単位時間あたりの回転数Ｎ２との関係は、式（６）となり、多孔質ローラの単位時間あたりの回転数Ｎ１がＮ１＝１３６（ｒｐｍ）の場合における内部回転体２０の単位時間あたりの回転数Ｎ２の好ましい範囲はＮ１＞Ｎ２の場合には、式（７）で表され、Ｎ１＜Ｎ２の場合には、式（８）で表される。
【手続補正１１】
【補正対象書類名】明細書
【補正対象項目名】００８６
【補正方法】変更
【補正の内容】
【００８６】
１．５６（ｒｐｍ）＜｜Ｎ１−Ｎ２｜＜６．４１（ｒｐｍ） …（６）
１２９．５９（ｒｐｍ）＜Ｎ２＜１３４．４４（ｒｐｍ） …（７）
１３７．５６（ｒｐｍ）＜Ｎ２＜１４２．４１（ｒｐｍ） …（８）
このように、本例の液体除去装置１０では、多孔質ローラ１６或いは内部回転体２０の何れか一方が固定されている場合に比べて、多孔質ローラ１６と内部回転体２０の相対速度が数ｒｐｍ程度なので、多孔質ローラ１６を吸引するための時間を十分にとることができる。
【手続補正１２】
【補正対象書類名】明細書
【補正対象項目名】０１１３
【補正方法】変更
【補正の内容】
【０１１３】
ロール紙を使用する装置構成の場合、転写記録部の前段に裁断用のカッターが設けられており、該カッターによってロール紙は所望のサイズにカットされる。カッターは、記録媒体の搬送路幅以上の長さを有する固定刃と、該固定刃に沿って移動する丸刃とから構成されており、印字裏面側に固定刃が設けられ、搬送路を挟んで印字面側に丸刃が配置される。
【手続補正１３】
【補正対象書類名】明細書
【補正対象項目名】０１６１
【補正方法】変更
【補正の内容】
【０１６１】
ヒータドライバ１７８は、システムコントローラ１７２からの指示にしたがって、ヒータ１８９を駆動するドライバである。図１２には、インクジェット記録装置１００に備えられる複数のヒータを代表して符号１８９で図示されている。例えば、図１２に示すヒータ１８９には、予備加熱部のヒータや、図７に示す加熱ローラ１１４Ａに内蔵されるヒータなどが含まれている。
【手続補正１４】
【補正対象書類名】明細書
【補正対象項目名】０１７０
【補正方法】変更
【補正の内容】
【０１７０】
また、プリント制御部１８０は、処理液塗布部１０６を制御する処理液塗布制御部に対して処理液塗布の制御信号を送出する。例えば、プリント制御部１８０は画像データ（中間転写体１０２上に打滴されるインクの総量）に応じて適切な処理液の塗布量を設定し、当該処理液塗布量の設定値を処理液塗布制御部に送る。処理液塗布制御部ではプリント制御部から送られた処理液塗布量の設定値に基づいて処理液塗布を制御する。なお、処理液塗布部にインクジェット方式を適用する場合には、処理液塗布制御部はヘッドドライバ１８４と同様の構成を適用可能である。
【手続補正１５】
【補正対象書類名】明細書
【補正対象項目名】０１７９
【補正方法】変更
【補正の内容】
【０１７９】
本発明に係る液体除去装置は、余分な現像液を除去する処理に適用可能である。即ち、液体除去ローラの表面を感光体ドラムの表面に接触させて感光体ドラム表面の余剰現像液が吸収除去される。なお、電子写真方式の画像形成装置では、多孔質ローラには抵抗率が１０１０Ωｃｍ以下（より好ましくは１０６Ωｃｍ以上１０９Ωｃｍ以下）の導電性を有している導電性ポリウレタンや導電性フッ素ゴム等が適用される。